(57)【要約】【課題】音響素子の位置についての自由度が高く、然も音響素子の取り付け作業が従来よりも簡易となる電子機器を提供する。【解決手段】本発明に係る電子機器は、開口部を有する筐体の内部にマイクロホン６を収容してなり、マイクロホン６は、筐体の内面に対向させて前記開口部の近傍に配置されている。ここで、マイクロホン６は挟持部材によって筐体に取り付けられており、該挟持部材は、筐体の開口部を貫通する連結部51と、該連結部51の一端から筐体の外面に沿って延びる外側支持部と、連結部51の他端から筐体の内面に沿って延びる内側支持部52とを有し、マイクロホン６は、筐体と挟持部材の内側支持部52とによって挟持されている。【選択図】図４
2012065144.tif 000002
【特許請求の範囲】
【請求項１】
開口縁を有する筐体の内部に、音響と電気信号の間の変換を行なう音響素子を収容してなり、該音響素子は、前記筐体の内面に対向させて前記開口縁の近傍に配置されている電子機器において、前記音響素子は挟持部材によって前記筐体に固定されており、該挟持部材は、前記筐体の開口縁に沿って筐体を貫通する連結部と、該連結部の一端から筐体の外面に沿って延びる外側支持部と、前記連結部の他端から筐体の内面に沿って延びる内側支持部とを有し、前記音響素子は、前記筐体と挟持部材の内側支持部とによって挟持されていることを特徴とする、音響素子を内蔵した電子機器。
【請求項２】
前記筐体にはカメラユニットが収容されると共に、カメラユニットの鏡筒が臨出する開口部が形成され、前記音響素子はマイクロホン又はスピーカであって、前記筐体の開口部を包囲して筐体の前面にリング部材が取り付けられており、該リング部材は、筐体の前面に係合するリング本体と、該リング本体から筐体の開口部を経てＬ字状に突出する舌片とを具え、該リング本体によって前記外側支持部が構成されると共に、該舌片によって前記連結部と内側支持部が構成されており、該内側支持部が筐体に締結されている請求項１に記載の電子機器。
【発明の詳細な説明】
【技術分野】
【０００１】
本発明は、筐体の内部にマイクロホン等の音響素子を収容した電子機器に関するものである。
【背景技術】
【０００２】
例えばデジタルカメラにおいては、筐体の内部に、光学部品や電子部品を搭載したインナーシャーシが収容されると共に、動画撮影時に録音を行なうためのマイクロホンが収容されている。
この様なデジタルカメラにおいて、マイクロホンは、筐体を構成するフロントキャビネットの内面に対向させた状態で、フロントキャビネットとインナーシャーシとの間に挟持されていた(特許文献１参照)。
【先行技術文献】
【特許文献】
【０００３】
【特許文献１】特開２００７−１９４７０８号公報
【発明の概要】
【発明が解決しようとする課題】
【０００４】
しかしながら、マイクロホンをフロントキャビネットとインナーシャーシとの間に挟持するデジタルカメラにおいては、マイクロホンの位置がインナーシャーシの存在領域やインナーシャーシ上の部品配置に制約されるため、マイクロホンの位置についての自由度が低い問題があった。
【０００５】
この問題は、専用の取り付け部材を用いてマイクロホンをフロントキャビネットの内面に固定する構造によって解決することが可能であるが、この場合、取り付け部材を用いてマイクロホンを固定する作業が煩雑となる問題がある。
【０００６】
そこで本発明の目的は、音響素子の位置についての自由度が高く、然も音響素子の取り付け作業が従来よりも簡易となる電子機器を提供することである。
【課題を解決するための手段】
【０００７】
本発明に係る電子機器は、開口縁を有する筐体の内部に、音響と電気信号の間の変換を行なう音響素子を収容してなり、該音響素子は、前記筐体の内面に対向させて前記開口縁の近傍に配置されている。
ここで、前記音響素子は挟持部材によって前記筐体に取り付けられており、該挟持部材は、前記筐体の開口縁に沿って筐体を貫通する連結部と、該連結部の一端から筐体の外面に沿って延びる外側支持部と、前記連結部の他端から筐体の内面に沿って延びる内側支持部とを有し、前記音響素子は、前記筐体と挟持部材の内側支持部とによって挟持されている。
【０００８】
上記本発明の電子機器によれば、従来から筐体に形成されている開口縁を利用して、該開口縁の近傍位置に音響素子を取り付けることが出来るので、音響素子の位置がインナーシャーシの存在領域やインナーシャーシ上の部品配置に制約されていた従来の電子機器と比較して、音響素子の位置についての自由度が高くなる。
【０００９】
音響素子を筐体に取り付ける作業においては、音響素子を挟持部材によって筐体と挟持部材の内側支持部とによって挟持することで、音響素子を筐体に仮止めすることが出来、その後、該挟持部材を筐体に締結することで音響素子を筐体に固定することが出来るので、取り付け作業は簡易である。
【００１０】
具体的態様において、前記筐体にはカメラユニットが収容されると共に、カメラユニットの鏡筒が臨出する開口部が形成され、前記音響素子はマイクロホン又はスピーカであって、前記筐体の開口部を包囲して筐体の前面にリング部材が取り付けられており、該リング部材は、筐体の前面に係合するリング本体と、該リング本体から筐体の開口部を経てＬ字状に突出する舌片とを具え、該リング本体によって前記外側支持部が構成されると共に、該舌片によって前記連結部と内側支持部が構成されており、該内側支持部が筐体に締結されている。
【００１１】
該具体的態様によれば、従来から電子機器の構成部品として設置されているリング部材に舌片を突設することにより、従来の電子機器よりも部品点数を増加させることなく、音響素子を筐体に取り付けることが出来る。
【発明の効果】
【００１２】
本発明に係る電子機器によれば、音響素子の位置についての自由度が高く、然も音響素子の取り付け作業が従来よりも簡易となる。
【図面の簡単な説明】
【００１３】
【図１】図１は、本発明の一実施形態であるデジタルカメラの外観を示す斜視図である。
【図２】図２は、該デジタルカメラからフロントキャビネットを取り外した状態における要部を示す斜視図である。
【図３】図３は、該デジタルカメラからバックキャビネットを取り外した状態における要部を示す斜視図である。
【図４】図４は、該デジタルカメラにおけるマイクロホン挟持構造を示す断面図である。
【図５】図５は、該デジタルカメラの分解斜視図である。
【発明を実施するための形態】
【００１４】
以下、本発明をデジタルカメラに実施した形態につき、図面に沿って具体的に説明する。
本発明の一実施形態であるデジタルカメラは、図１に示す如く、フロントキャビネット(11)とバックキャビネット(12)からなる筐体(１)を具え、該筐体(１)の上面にはシャッターボタン(３)が配備されている。
フロントキャビネット(11)の前面には、撮影窓(20)を開閉するシャッター(21)が配備され、撮影窓(20)を包囲して、外装用のリング部材(４)が取り付けられている。
【００１５】
又、フロントキャビネット(11)には、リング部材(４)の近傍位置に、集音孔(14)が開設されており、該集音孔(14)を通じて、図２に示すマイクロホン(６)へ音響を導くことが可能となっている。
マイクロホン(６)は、図４に示す如くフロントキャビネット(11)の内面に対向する姿勢で、フロントキャビネット(11)に凹設されている凹部(13)に嵌合している。
【００１６】
筐体(１)の内部には、図５に示すカメラユニット(２)が収容されている。カメラユニット(２)は、シャッター(21)によって撮影窓(20)を開閉することが可能な鏡筒(22)を具えており、鏡筒(22)の先端部が、フロントキャビネット(11)の開口部(10)から前方へ僅かに臨出する。
【００１７】
フロントキャビネット(11)には、開口部(10)を包囲する環状フランジ部(15)が形成されている。該環状フランジ部(15)には、凹部(13)が形成されている領域まで切り欠かれた切り欠き(16)が形成されている。
そして、フロントキャビネット(11)の前面に、環状フランジ部(15)を覆ってリング部材(４)が設置されている。
【００１８】
リング部材(４)は樹脂成型品であって、フロントキャビネット(11)の環状フランジ部(15)に係合するリング本体(41)と、該リング本体(41)の背面に突設された舌片(５)とから構成されている。
【００１９】
舌片(５)は、図３及び図４に示す如く、リング部材(４)からフロントキャビネット(11)の切り欠き(16)をその開口縁に沿って貫通する連結部(51)と、該連結部(51)の一端からフロントキャビネット(11)の内面に沿って延びる内側支持部(52)とから構成されており、フロントキャビネット(11)の内面と舌片(５)の内側支持部(52)との間にマイクロホン(６)が挟持されている。
【００２０】
そして、舌片(５)の内側支持部(52)は、ビス(７)によってフロントキャビネット(11)に締結されている。このビス(７)による締結力によって、マイクロホン(６)は、舌片(５)の内側支持部(52)とフロントキャビネット(11)との間に強固に挟持されることになる。これによってマイクロホン(６)の性能が確保される。
【００２１】
上記デジタルカメラによれば、フロントキャビネット(11)の開口部(10)の近傍位置であれば、カメラユニット(２)やその他の部品の配置に拘わらず、自由な位置にマイクロホン(６)を配備することが出来る。
又、従来からデジタルカメラの外装部品として設置されているリング部材(４)に舌片(５)を突設することにより、従来のデジタルカメラよりも部品点数を増加させることなく、マイクロホン(６)を筐体(１)に取り付けることが出来る。
【００２２】
更に、上記デジタルカメラによれば、その組立工程において、フロントキャビネット(11)の凹部(13)にマイクロホン(６)を嵌合させた後、フロントキャビネット(11)にリング部材(４)を係合させ、リング部材(４)の舌片(５)によってマイクロホン(６)をフロントキャビネット(11)の凹部(13)に拘束する。
これによって、マイクロホン(６)をフロントキャビネット(11)に仮止めすることが出来る。
【００２３】
従って、その後に図３及び図４に示す如く舌片(５)にビス(７)をねじ込んで、マイクロホン(６)をフロントキャビネット(11)に締結する作業においては、マイクロホン(６)が舌片(５)によってフロントキャビネット(11)に仮止めされているので、作業は簡易なものとなる。
【００２４】
尚、本発明の各部構成は上記実施の形態に限らず、特許請求の範囲に記載の技術的範囲内で種々の変形が可能である。例えば、上記実施形態では、本発明をマイクロホン(６)の取り付け構造に実施しているが、本発明をスピーカの取り付け構造に実施することも可能である。
又、筐体(１)の開口部(10)は、カメラユニット(２)の鏡筒(22)を配備するための開口に限らず、従来から筐体(１)に開設されている種々の開口や切り欠きを利用することが出来る。
【符号の説明】
【００２５】
(１)  筐体
(10)  開口部
(11)  フロントキャビネット
(12)  バックキャビネット
(13)  凹部
(14)  集音孔
(15)  環状フランジ部
(16)  切り欠き
(２)  カメラユニット
(20)  撮影窓
(４)  リング部材
(41)  リング本体
(５)  舌片
(51)  連結部
(52)  内側支持部
(６)  マイクロホン
【図１】
2012065144.tif 000003
【図２】
2012065144.tif 000004
【図３】
2012065144.tif 000005
【図４】
2012065144.tif 000006
【図５】
2012065144.tif 000007